(57)【特許請求の範囲】
【請求項１】
複数の異なる形状の関連する電灯（２０；２０’）を取り付けるための変換可能な電灯ソケット（１）であって、該電灯ソケット（１）は、選択された電灯（２０；２０’）のソケット部（１５）から外方に延びる接点ピン（８；８’）と、この選択された電灯（２０；２０’）のソケット部（１５）に対応する一組のバイオネット拘束接点（１７，１８）との間の係合を通じて、選択された電灯（２０；２０’）のソケット部（１５）を保持して前記選択された電灯（２０；２０’）を取り付ける、前記変換可能な電灯ソケット（１）であって、
前記電灯ソケット（１）は、周方向に離間する位置決め凹所（２３、２４、２５）を規定する円筒状の壁部材（２２）を備えるハウジング本体（２）と；
第１の長手方向軸を規定し、前記ハウジング本体（２）に選択的に連結可能である略円筒状のコーディング・リング（３；３’）であって、該コーディング・リング（３；３’）は、周方向に離間する位置決めタブ（３３，３４，３５；３３’，３４’，３５’）を有し、これらのタブは、該コーディング・リング（３；３’）と前記ハウジング本体（２）とが選択的に連結されたとき、前記壁部材（２２）上に規定された前記位置決め凹所（２３，２４，２５）に係合する前記コーディング・リング（３；３’）と；を備え、
前記コーディング・リング（３；３’）は、前記関連する選択された電灯（２０；２０’）のソケット部（１５）から延びる一組の接点ピン（８；８’）の位置に対応する位置において、前記コーディング・リング（３；３’）の内周に配置された一組の凹所（１０，１２；１０，１２’）を更に備え、該一組の凹所（１０，１２；１０，１２’）は、前記選択された電灯（２０；２０’）のソケット部（１５）に対応する前記一組のバイオネット拘束接点（１７，１８）を受け入れるように構成されており、
各一組の凹所（１０，１２；１０，１２’）は、
ｉ）前記対応する選択された電灯（２０；２０’）のソケット部（１５）と前記コーディング・リング（３；３’）とを相互に係合するための、前記コーディング・リング（３；３’）の一端において端面に開口された長手方向の第１溝（１０）であって、該長手方向の第１溝（１０）は、前記第１の長手方向軸に沿った前記コーディング・リング（３；３’）と前記関連する選択された電灯（２０；２０’）との前記第１の長手方向軸に沿った相対移動を許容するように、前記第１の長手方向軸に実質的に平行に延びる前記第１溝（１０）と；
ｉｉ）前記第１溝（１０）に連続してバイオネット拘束凹所（１２）を規定し、前記コーディング・リング（３；３’）に対して接線方向に延びる横方向の第２溝（１２）であって、前記横方向の第２溝（１２）は、前記第１長手方向軸の周りで、前記コーディング・リング（３；３’）と前記関連する選択された電灯（２０；２０’）との間の相対的な相互に係合する回転を許容する前記第２溝（１２）と；を含む、電灯ソケット。
【請求項２】
請求項１に記載の電灯ソケット（１）において、
前記複数の周方向に離間する位置決め凹所の少なくとも１つ（２５）と、前記複数の周方向に離間する位置決めタブの少なくとも１つ（３５；３５’）とは、前記コーディング・リング（３；３’）により規定された前記長手方向軸に対して、半径方向外方にまっすぐ延びる方向で配置されている、電灯ソケット。
【請求項３】
請求項１に記載の電灯ソケット（１）において、
前記複数の周方向に離間する位置決め凹所の少なくとも１つ（２３、２４）と、前記複数の周方向に離間する位置決めタブの少なくとも１つ（３３，３４；３３’，３４’）とは、前記コーディング・リング（３；３’）により規定された前記長手方向軸に対して接線方向に延びる方向で配置されている、電灯ソケット。
【請求項４】
請求項３に記載の電灯ソケット（１）において、
前記複数の周方向に離間する位置決め凹所の少なくとも１つ（２３，２４）と、前記複数の周方向に離間する位置決めタブの少なくとも１つ（３３，３４；３３’，３４’）とは、それぞれ、前記ハウジング本体（２）の前記壁部材（２２）および前記コーディング・リング（３；３’）において、前記位置決め凹所（２３，２４）によって規定された第１の組の長手方向側壁（２３ｉ，２４ｉ）と、前記位置決め凹所（２３，２４）によって規定された第２の組の長手方向側壁（２３ａ，２４ａ）のうちの１つと前記位置決めタブが接触するように配置される電灯ソケット。
【請求項５】
請求項１に記載の電灯ソケット（１）において、
前記ハウジング本体（２）は、一組の拘束要素（３７，３８，３９）および相手の拘束部（２７，２８，２９）の一方を有し、
前記コーディング・リング（３；３’）は、前記一組の拘束要素（３７，３８，３９）および前記相手の拘束部（２７，２８，２９）の他方を有し、
前記一組の拘束要素（３７，３８，３９）および前記相手の拘束部（２７，２８，２９）は、前記ハウジング本体（２）が前記コーディング・リング（３；３’）に選択的に連結されるように、係合可能である、電灯ソケット。
【請求項６】
請求項５に記載の電灯ソケット（１）において、
前記ハウジング本体（２）は、３つの相手の拘束部（２７，２８，２９）からなる組を有し、
前記コーディング・リング（３）は、３つの拘束要素（３７，３８，３９）からなる組を有し、
前記３つの拘束要素（３７，３８，３９）の組と前記３つの相手の拘束部（２７，２８，２９）の組は、前記ハウジング本体（２）が前記コーディング・リング（３；３’）に選択的に連結されるように、係合可能である、電灯ソケット。
【請求項７】
請求項６に記載の電灯ソケット（１）において、
前記拘束要素（３７，３８，３９）の各々は、細長い弾性部材の自由端に設けられた拘束突起部材（４０）を含み、
前記相手の拘束部（２７，２８，２９）は、対応する拘束突起部材（４０）を受け入れるように構成された拘束凹所（３０）を含む、電灯ソケット。
【請求項８】
請求項７に記載の電灯ソケット（１）において、
前記３つの拘束要素（３７，３８，３９）からなる組は、前記複数の周方向に離間する位置決めタブ（３３，３４，３５；３３’，３４’，３５’）の長さよりも大きい長さを有する、電灯ソケット。
【請求項９】
請求項１に記載の電灯ソケット（１）において、
前記コーディング・リング（３；３’）の前記バイオネット拘束凹所（１２）は、前記コーディング・リング（３；３’）及び前記ハウジング本体（２）が選択的に互いに連結されたときに、前記一組のバイオネット拘束接点（１７，１８）を受け入れるようになっている、電灯ソケット。
【請求項１０】
請求項１に記載の電灯ソケット（１）において、
前記ハウジング本体（２）は、半径方向に延びる周縁フランジ部材（６）を含む、電灯ソケット。
【請求項１１】
請求項１０に記載の電灯ソケット（１）において、
前記半径方向に延びる周縁フランジ部材（６）は、前記ハウジング本体（２）に対して密封リング（１６）を支持するようになっている、電灯ソケット。
【請求項１２】
請求項１に記載の電灯ソケット（１）において、
前記ハウジング本体（２）の前記円筒状壁部材（２２）は、略円形の縁部（１１）を形成し、
前記コーディング・リング（３；３’）は、前記コーディング・リング（３；３’）及び前記ハウジング本体（２）が選択的に互いに連結されたときに、前記円筒状壁部材（２２）の前記略円形の縁部（１１）を実質的に覆うように構成された肩部領域（２６）を含む、電灯ソケット。
【請求項１３】
請求項１に記載の電灯ソケット（１）において、
前記ハウジング本体（２）は、略円筒状であり、及び、前記ハウジング本体（２）の内周面に間隔を空けて配置され、かつ前記ハウジング本体（２）の長手方向に沿って延びる一組のスペーサ片部材（３１）を含み、
前記一組のスペーサ片部材（３１）は、前記コーディング・リング（３；３’）及び前記ハウジング本体（２）が選択的に互いに連結されたとき、前記コーディング・リング（３；３’）の外周面に接触するようになっている、電灯ソケット。
【発明の詳細な説明】
【０００１】
【発明の属する技術分野】
本発明は、電灯の基部の外周に少なくとも２つの接点ピンを有し、取り付けた位置にあるとき、バイオネット拘束具を介して、該接点ピンが電灯ソケット内に配置された接点とそれぞれ接続される、電灯を取り付ける電灯ソケットに関する。
【０００２】
【従来の技術】
その外周に少なくとも２つの接点ピンを有する、電灯を取り付ける働きをする、極めて多数の電灯ソケットが一般的な技術として公知である。
【０００３】
かかる用途は、例えば、自動車の分野におけるブレーキ灯又は表示灯を含むことができる。
【０００４】
【発明が解決しようとする課題】
それぞれの電灯の電灯ソケットにて接点ピンを異なる状態にて配置することに基づくこれらの公知の構造体において、電灯を適正に締結するために特別に設計された電灯ソケットを常に提供する必要があった。その結果、多量の在庫を維持することになり、これに対応して、適当な電灯を電灯ソケットに用意することに関連する費用を伴うことになる。
【０００５】
これに対して、本発明は、異なる設計の電灯に対する取り付けを簡略化し得るように、最初に記載した型式の電灯ソケットを設計するという目的に基づくものである。
【０００６】
【課題を解決するための手段】
この目的は、本発明により達成される。本発明において、電灯ソケットは、ハウジングと、該ハウジングに確実に接続されたコーディング・リング（Ｃｏｄｉｅｒｒｉｎｇ（独語）、ｃｏｄｉｎｇ  ｒｉｎｇ（英語））とから成っており、該コーディング・リングの内周には、接点ピンの配置に対応し得るようにされた凹所が設けられている。
【０００７】
上記の特殊な構造のため、考え得る全ての電灯ソケットに対して単一のハウジングのみがあれば十分であり、更に、その内部に配置されたコーディング・リングによって、それぞれ、電灯ソケットの既存のピンに適応することが確実となるという利点が得られる。このようにして設計された多数のコーディング・リングが存在している。電灯ソケットにそれぞれ適合されたこれらのコーディング・リングをハウジング内に取り付けることで、それぞれの用途に正確に適応する電灯ソケットが得られる。
【０００８】
本発明の更なる展開例において、最初の領域内にて、凹所は、それぞれ、電灯ソケットの長手方向軸線に対して平行に伸長し、最後の領域内にて、バイオネット拘束凹所を有することができる。
【０００９】
本発明の別の特徴によれば、ハウジングは、上方領域内において、リング形の外壁を有することができ、このリング形の外壁には、それぞれのコーディング・リングの外周に配置された突部を位置決めするための少なくとも２つの凹所が設けられている。かかる配置において、外周に沿って配分されてハウジングに形成した３つの凹所と、その内部に埋め込んだそれぞれのコーディング・リングの３つの突部とを利用することができる。しかしながら、２つの凹所及び２つの突部のみが設けられるようににすることも可能である。この場合、これらの凹所及び突部は、それぞれのコーディング・リングが取り付けるべき電灯に対してハウジング内にて機械的に正確に適応し得るように取り付けられるようにして配置される。
【００１０】
本発明の別の特徴によれば、ハウジングの１つの凹所及びそれぞれのコーディング・リングの１つの突部は、半径方向に伸長する設計とすることができる。更に、ハウジングの少なくとも１つの凹所及び該凹所に割り当てられたそれぞれのコーディング・リングの少なくとも１つの突部が接線方向に伸長する設計とすることができる。接線方向に又は半径方向に伸長する凹所及び突部の上記の割り当ての結果、電灯ソケットのハウジングにてそれぞれのコーディング・リングを機能的に確実に取り付けることが常に保証される。
【００１１】
本発明の更なる展開例において、ハウジングの接線方向に伸長する２つの凹所及びそれぞれの同一のコーディング・リングに割り当てられた２つの突部は、互いに対向するようにすることも可能である。かかる配置において、コーディング・リングの設計に対応して、対向する接線方向突部は、凹所の内壁又は外壁の何れか一方に当接し、これにより、同一の電灯ソケットハウジングについて、ソケット内にて異なる有孔の幾何学的形態を採用することも可能である。
【００１２】
それぞれのコーディング・リングを機能的に確実に、電灯ソケットに取り付けるためには、本発明に従って、ハウジングのリング形の外壁、及びそれぞれのコーディング・リングの外周には、少なくとも１つの拘束要素と、少なくとも１つの相手の拘束部とが設けられる。これらの拘束要素又は相手の拘束部は、ハウジングの外周に沿って配分されたそれぞれのコーディング・リングの３つの要素とすることができる。それぞれのコーディング・リングは、拘束要素を保持し、リング形の外壁は、相手の拘束部を保持することが可能である。拘束要素は、拘束突出部により相手の拘束部の凹所内に埋め込むことができる。
【００１３】
本発明による装置は、取り付けた位置にあるとき、接点の少なくとも一部分が、それぞれのコーディング・リングのバイオネット拘束具凹所内に埋め込まれるような設計とされている。
【００１４】
本発明に従って、電灯ソケットを確実に密封するため、リング形の外壁の下方のハウジングには、密封リングに対する支持体として設計された周縁フランジを設けることが可能である。
【００１５】
それぞれのコーディング・リングをハウジングにて完全に固定するため、本発明に従って取り付けた位置にあるコーディング・リングは、１つの肩部により、リング形の外壁の前面の大部分を覆うことができる。
【００１６】
それぞれのコーディング・リングをハウジング内にて変位しないように取り付けるためには、本発明の別の特徴によるハウジングは、その内部に、周方向に沿って配分され、長手方向に伸長する幾つかの離間した突出部を設けることができる。
【００１７】
【発明の実施の形態】
本発明は、図面に示した一例としての実施の形態によって、以下により詳細に説明する。
【００１８】
図７には、図４及び図５の背面図にて示した電灯２０、２０´を締結する働きをする、本発明による電灯ソケット１の中央断面図が示されている。該電灯は、それぞれ、その電灯のソケット部の外周に少なくとも２つの接点ピン８−８又は８−８´を有している。図４による実施の形態において、２つの接点ピン８、８が互いに対角位置に配置される一方、図５による実施の形態において、２つの接点ピン８、８´は互いに対してずらした位置にある。
【００１９】
電灯ソケット１は、ハウジング２と、該ハウジングに確実に接続されたコーディング・リング３（Ｃｏｄｉｅｒｒｉｎｇ（独語）、ｃｏｄｉｎｇ  ｒｉｎｇ（英語））（図２）とから成ることが図７から明らかである。コーディング・リング３に代えて、電灯ソケット１のハウジング２内に、コーディング・リング３´（Ｃｏｄｉｅｒｒｉｎｇ（独語）、ｃｏｄｉｎｇ  ｒｉｎｇ（英語））（図３）を配置することも可能である。
【００２０】
コーディング・リング３、又は３´は、全体として円筒形を有しているが、図２又は図３に従って異なる設計とし、更に、その内周に、図２による凹所１０−１０又は図３による凹所１０−１０´を有している。これらの凹所１０−１０´は、接点ピン８−８又は８−８´の配置に対応し得るようにされている。
【００２１】
上述した凹所の各々は、最初の領域Ａ内にて、電灯ソケット１５の長手方向軸線に対して平行に伸長し、更に、最後の領域Ｂ内にて、バイオネット拘束凹所１２を有している。
【００２２】
電灯ソケット１には、その内側に、接点１７、１８が取り付けられることが図６から特に明らかである。取り付けた位置にあるとき、接点１７及び／又は接点１８の少なくとも一部分は、それぞれのコーディング・リング３又は３´のバイオネット拘束凹所１２の１つに埋め込まれる。
【００２３】
図１及び図７から明らかなように、ハウジング２は、その上方領域内にて、リング形の外壁を有し、該外壁には、この一例としての実施の形態において、３つの凹所２３、２４、２５が形成される。これらの凹所は、図２及び図３に従ってそれぞれのコーディング・リング３又は３´の外周に配置された隆起部すなわち突部３３、３４、及び隆起部すなわち突部３５、又は３３´、３４´、３５´を埋め込む働きをする。３つの凹所及び突部に代えて、ハウジングの外壁、及びそれぞれのコーディング・リング３、又は３´に対して２つの凹所及び突部のみを提供することも可能である。ハウジング及びコーディング・リングは電気的絶縁材料で作られ得る。
【００２４】
図１、図２及び図３から明らかなように、ハウジング２の凹所２５及びそれぞれのコーディング・リング３又は３´の突部３５は、半径方向に伸長する設計とされている。上記凹所２５又は上記突部３５と反対側の位置には、ハウジング２の２つの凹所２３、２４と、コーディング・リングの２つの突部３３、３４又は３３´、３４´とが配置されている。これら２つの突部は、接線方向（コーディング・リングの軸心を中心とした円に接する方向）に伸長する設計とされたそれぞれのコーディング・リング３、３´のものに割り当てられている。
【００２５】
反対側の２つの接点ピン８−８により電灯ソケットを受け入れ得る設計とされたコーディング・リング３に関して、接線方向に伸長する２つの突部３３、３４は中心線により接近している。上記コーディング・リング３をハウジング２内にて組み立てると、突部３３、３４の外側（の一つの面）が２つの凹所２３、２４の内側の壁２３ｉ、２４ｉに当接する状況となる。
【００２６】
これに代えて、２つの接点ピン８、８´を有する電灯ソケットを受け入れ得るために設けられるコーディング・リング３´がハウジング２内に取り付けられるならば、この場合、接線方向に伸長する２つの突部３３´、３４´は（これらの突部は外方に向けてより移動されるため）、ハウジング２の凹所２３、２４内で外側の壁２３ａ、２４ａ側に配置されている。このことは、それぞれのコーディング・リング３又は３´をハウジング２内にて簡単で正確に且つ無故障の状態に取り付けることを確実にする。
【００２７】
電灯ソケット１のハウジング２内にて２つのコーディング・リング３又は３´の間に緊密な接続を保証するため、この現在の一例としての実施の形態において、コーディング・リング３、３´の各々は外周に沿って配分された拘束要素３７、３８、３９を有している。これら拘束要素の各々は、下方領域内に拘束突出部４０を有している。
【００２８】
ハウジング２のリング形の外壁２２には、対応する相手の拘束部２７、２８、、２９が取り付けられており、また、該外壁は、下方領域内に、図１及び図７による凹所３０を有している。該凹所は、拘束突出部４０を受け入れ得る設計とされている。
【００２９】
３つの弾性的な拘束要素３７、３８、３９及び対応する割り当てられた相手の拘束部２７、２８、２９に代えて、対応する相手の拘束部を有する、反対側に配置された２つの拘束要素のみを使用することが可能である（正確には図示しない）。更に、ハウジングの外壁には、拘束要素を設け、且つコード要素すなわちコーディング・リング３又は３´に対して、対応する相手の拘束部を設けることも考えられる。
【００３０】
隆起部すなわち突部３３、３４、３５又は隆起部すなわち突部３３´、３４´、３５´の長さは、拘束要素３７、３８、３９の長さよりも短いことが図２及び図３から明らかである。その結果、図７において、突部の下方にある拘束要素は、電灯ソケットのハウジング２の対応する相手の拘束部と係合する。
【００３１】
ハウジング２は、リング形の外壁２２の下方に周縁フランジ６を有することが図１、図６及び図７から特に明らかである。図６による上記の周縁フランジ６は、密封リング１６の支持面として設計することができ、その結果、電灯ソケットを支持体に対して緊密に密封して締結することが保証される。
【００３２】
図７によれば、取り付けた位置にあるとき、それぞれのコーディング・リング３又は３´は、肩部２６により、リング形の外壁２２の前面１１の大部分を覆うことができる．このため、それぞれのコーディング・リング３又は３´と電灯ソケット１のハウジング２との間にて略閉じたユニットが確保される。
【００３３】
更に、ハウジング２の内壁には、外周に沿って配分された長手方向に伸長する離間突部３１が幾つか設けられ、これにより、取り付けた位置において、それぞれのコーディング・リング３又は３´は、電灯ソケットのハウジング２の内部にて機能的に確実に配置されることが図１から明らかである。
【００３４】
図１及び図７による一例としての実施の形態において、ハウジング２は、その下方領域内に、それぞれの接点１７、１８に対して、電灯ソケットの長手方向に伸長する接続具５を有している。
【００３５】
図８によれば、それぞれの電灯ソケットの長手方向軸線に向き合って、９０°の角度にて接続部５´を配置することが可能である。更に、図１及び図７による電灯ソケットと同様のその電灯ソケットは、それぞれの接点ピンに適応し得るようにされたコーディング・リング３又は３´を受け入れるのに適した方法にて設計されている。
【００３６】
本発明によれば、２つ又は３つの接点ピンを使用するか否かに関係なく、表示灯、又はブレーキ灯を受け入れるための電灯ソケットが形成される。それぞれのコーディング・リングを対応する接点に且つそれぞれの電灯ソケットの接点ピンに相互作用させることにより、また、バイオネットソケットの配置により、均一な接触が確実とされる。それぞれの電灯を電灯ソケット内に挿入したとき、長手方向軸線の周りで回転させることにより、ソケット１内での確実な締結を保証することができ、これにより、同時に、接点ピン８と部品１７、１８（接点）との間の電気的及び機械的接触が保証される。
【図面の簡単な説明】
【図１】電灯ソケットのハウジングの斜視図である。
【図２】コーディング・リングの斜視図である。
【図３】図２と異なる設計としたコーディング・リングの斜視図である。
【図４】接点ピンを有する、電灯の下方から見た斜視図である。
【図５】図４と異なる配置とした接点ピンを有する、電灯の下方から見た斜視図である。
【図６】本発明による電灯を示す、電灯ソケットの分解図である。
【図７】ハウジング及びコーディング・リングを側面図で示す、本発明による電灯ソケットの断面図である。
【図８】本発明による電灯ソケットの別のハウジングの実施の形態の斜視図である。
【符号の説明】
Ａ  最初の領域                    Ｂ  最後の領域
１  電灯ソケット                  ２  ハウジング
３  コーディング・リング            ６  周縁フランジ
８  接点ピン                      １０  凹所
１１  外壁の前面                  １２  拘束凹所
１５  電灯のソケット部            １６  密封リング
１７、１８  部品（接点）          ２０  電灯
２２  外壁                        ２３、２４、３０  凹所
２３ａ、２４ａ  凹所の外側の壁    ２３ｉ、２４ｉ  凹所の内側の壁
２５  ハウジングの凹所            ２６  肩部
２７、２８、２９  相手の拘束部    ３３、３４、３５  突部
３７、３８、３９  拘束要素        ４０  拘束突出部
【図１】
0004208041.tif 000002
【図２】
0004208041.tif 000003
【図３】
0004208041.tif 000004
【図４】
0004208041.tif 000005
【図５】
0004208041.tif 000006
【図６】
0004208041.tif 000007
【図７】
0004208041.tif 000008
【図８】
0004208041.tif 000009